(57)【要約】【課題】吸収体が存在しない前後方向の端部での折れ曲がりが起こりにくい吸収性物品を提供する。【解決手段】液透過性のトップシート２と液不透過性のバックシート３とこれらの間に設けられた吸収体１１を有する吸収性物品１であって；トップシート２とバックシート３は吸収体１１よりも前方側および後方側に延在し、吸収体１１の前方側および後方側に吸収体非存在部１０が形成され；トップシート２は、前後方向ｙに対して傾斜して一方向と他方向に延びる複数の直線部８から構成された四角格子状のエンボス部７を有し；エンボス部７は、トップシート２の吸収体非存在部１０に少なくとも設けられ；エンボス部７を構成する直線部８の線幅が、吸収性物品１の吸収体非存在部１０の厚み方向の長さよりも大きい。【選択図】図１
2020116154.tif 000002
【特許請求の範囲】
【請求項１】
前後方向と幅方向を有し、液透過性のトップシートと液不透過性のバックシートとこれらの間に設けられた吸収体を有する吸収性物品であって、
前記トップシートと前記バックシートは前記吸収体よりも前方側および後方側に延在し、前記吸収体の前方側および後方側に吸収体非存在部が形成され、
前記トップシートは、前後方向に対して傾斜して一方向と他方向に延びる複数の直線部から構成された四角格子状のエンボス部を有し、
前記エンボス部は、前記トップシートの前記吸収体非存在部に少なくとも設けられ、
前記エンボス部を構成する前記直線部の線幅が、吸収性物品の前記吸収体非存在部の厚み方向の長さよりも大きいことを特徴とする吸収性物品。
【請求項２】
前後方向と幅方向を有し、液透過性のトップシートと液不透過性のバックシートとこれらの間に設けられた吸収体を有する吸収性物品であって、
前記吸収体と前記バックシートの間に台紙が設けられ、
前記トップシートと前記バックシートと前記台紙は前記吸収体よりも前方側および後方側に延在し、前記吸収体の前方側および後方側に吸収体非存在部が形成され、
前記トップシートは、前後方向に対して傾斜して一方向と他方向に延びる複数の直線部から構成された四角格子状のエンボス部を有し、
前記エンボス部は、前記トップシートの前記吸収体非存在部に少なくとも設けられ、
前記エンボス部を構成する前記直線部の線幅が、吸収性物品の前記吸収体非存在部の厚み方向の長さよりも大きいことを特徴とする吸収性物品。
【請求項３】
前記エンボス部を構成する前記直線部は、前後方向に対して時計回りまたは反時計回りに５°以上４４°以下の角度で傾斜して設けられている請求項１または２に記載の吸収性物品。
【請求項４】
前記エンボス部を構成する前記直線部は、前後方向に対して時計回りまたは反時計回りに１５°以上３０°以下の角度で傾斜して設けられている請求項１または２に記載の吸収性物品。
【請求項５】
前記エンボス部は、前記トップシートの前記吸収体と重なる領域に設けられ、
前記エンボス部を構成する前記直線部の線幅が、吸収性物品の前記吸収体が設けられた部分の厚み方向の長さよりも小さい請求項１〜４のいずれか一項に記載の吸収性物品。
【請求項６】
前記吸収体は、シート部材の間に吸水性樹脂を有しパルプ繊維を有しないように構成され、シート部材どうしが接合された封止部と、シート部材どうしが接合されない非封止部とを有し、前記非封止部に吸水性樹脂が配されており、
前記非封止部は前後方向に延びるストライプ状に設けられ、
前記エンボス部は、前記トップシートの前記封止部と重なる部分に設けられている請求項１〜５のいずれか一項に記載の吸収性物品。
【請求項７】
前記エンボス部を構成する前記直線部の線幅は、吸収性物品の前記封止部と重なる部分の厚み方向の長さよりも小さい請求項６に記載の吸収性物品。
【請求項８】
前記トップシートは短繊維不織布から構成され、当該不織布の構成繊維が前後方向に配向している請求項１〜７のいずれか一項に記載の吸収性物品。
【請求項９】
前記エンボス部は熱エンボス部である請求項１〜８のいずれか一項に記載の吸収性物品。
【発明の詳細な説明】
【技術分野】
【０００１】
本発明は、尿パッド（軽失禁パッドを含む）、生理用ナプキン、使い捨ておむつ等の吸収性物品に関するものである。
【背景技術】
【０００２】
従来、尿パッド、生理用ナプキン、使い捨ておむつ等の様々な吸収性物品が知られている。これらの吸収性物品は、着用の際に着用者の股間で嵩張らないように、薄型に形成されることが望ましい。一方、薄型に形成された吸収性物品は、着用者の股間にセットする際に平面状に広げることが難しくなったり、使用の際に折れ曲がったりするおそれがある。例えば特許文献１には、着用の際の縒れの発生を抑えた吸収性物品として、繊維が一方向に配向された不織布から形成され、当該不織布の繊維配向方向に直交して延びる複数のエンボス線を備えたトップシートを有し、エンボス線の各々は間欠的に設けられた複数の凹部で形成され、凹部の長手方向が繊維配向方向に交差するように配置された吸収性物品が開示されている。
【先行技術文献】
【特許文献】
【０００３】
【特許文献１】特開２００７−１１７１１１号公報
【発明の概要】
【発明が解決しようとする課題】
【０００４】
吸収性物品は、前後方向の端部の吸収体が存在しない部分で特に薄く形成されるため、当該部分で折れ曲がりやすくなる。本発明は前記事情に鑑みてなされたものであり、その目的は、吸収体が存在しない前後方向の端部での折れ曲がりが起こりにくい吸収性物品を提供することにある。
【課題を解決するための手段】
【０００５】
前記課題を解決することができた本発明の吸収性物品とは、前後方向と幅方向を有し、液透過性のトップシートと液不透過性のバックシートとこれらの間に設けられた吸収体を有する吸収性物品であって；トップシートとバックシートは吸収体よりも前方側および後方側に延在し、吸収体の前方側および後方側に吸収体非存在部が形成され；トップシートは、前後方向に対して傾斜して一方向と他方向に延びる複数の直線部から構成された四角格子状のエンボス部を有し；エンボス部は、トップシートの吸収体非存在部に少なくとも設けられ；エンボス部を構成する直線部の線幅が、吸収性物品の吸収体非存在部の厚み方向の長さよりも大きいところに特徴を有する。本発明の吸収性物品は、吸収体とバックシートの間にさらに台紙が設けられ；トップシートとバックシートと台紙は吸収体よりも前方側および後方側に延在し、吸収体の前方側および後方側に吸収体非存在部が形成され；エンボス部を構成する直線部の線幅が、吸収性物品の吸収体非存在部の厚み方向の長さよりも大きいものであってもよい。
【０００６】
吸収性物品の前後方向の端部は、吸収体が存在しないことにより剛性が低くなるが、本発明の吸収性物品は、トップシートの吸収体非存在部にエンボス部が設けられることにより、吸収性物品の前後方向の端部の吸収体非存在部での剛性が高まり、吸収性物品が吸収体非存在部で折れ曲がりにくくなる。この際、エンボス部は、前後方向に対して傾斜して一方向と他方向に延びる複数の直線部から構成された四角格子状に設けられているため、吸収体非存在部に幅方向に延びる折り目が形成されるように吸収性物品が折れ曲がりにくくなる。また、エンボス部を構成する直線部の線幅が、吸収性物品の吸収体非存在部の厚み方向の長さよりも大きく形成されているため、吸収性物品の吸収体非存在部での平面方向の剛性が高まる。
【０００７】
エンボス部を構成する直線部は、前後方向に対して時計回りまたは反時計回りに５°以上４４°以下の角度で傾斜して設けられていることが好ましく、前後方向に対して時計回りまたは反時計回りに１５°以上３０°以下の角度で傾斜して設けられていることがより好ましい。このように直線部が設けられることにより、吸収性物品の吸収体非存在部が前後方向により折れ曲がりにくくなる。
【０００８】
エンボス部は、トップシートの吸収体と重なる領域に設けられ、エンボス部を構成する直線部の線幅が、吸収性物品の吸収体が設けられた部分の厚み方向の長さよりも小さいことが好ましい。このようにエンボス部が形成されていれば、トップシート上での尿等の拡散性が過度に高まらず、また吸収体での吸収能力が確保されやすくなる。
【０００９】
吸収体は、シート部材の間に吸水性樹脂を有しパルプ繊維を有しないように構成され、シート部材どうしが接合された封止部とシート部材どうしが接合されない非封止部とを有し、非封止部に吸水性樹脂が配されており、非封止部は前後方向に延びるストライプ状に設けられ、エンボス部はトップシートの封止部と重なる部分に設けられることが好ましい。このように構成された吸収体が設けられた吸収性物品では、封止部の延在方向に沿って吸収性物品が折れ曲がりやすくなる。そこで、封止部において吸収性物品が折れ曲がりにくくするために、トップシートの封止部と重なる部分にエンボス部が形成されていることが好ましい。これにより、封止部と重なる部分でトップシートの剛性が高まり、封止部において吸収性物品が折れ曲がりにくくなる。なお、エンボス部を構成する直線部の線幅は、吸収性物品の封止部と重なる部分の厚み方向の長さよりも小さいことが好ましく、これにより吸収性物品の平面方向の剛性が確保されやすくなる。
【００１０】
トップシートは短繊維不織布から構成され、当該不織布の構成繊維が前後方向に配向していることが好ましい。これにより、吸収性物品の吸収体非存在部が前後方向により折れ曲がりにくくなる。また、尿等がトップシート上を前後方向に優先的に拡散しやすくなるとともに、幅方向への拡散性も確保される。
【００１１】
エンボス部は熱エンボス部であることが好ましい。これにより、トップシートのエンボス部での剛性を高めることができる。
【発明の効果】
【００１２】
本発明の吸収性物品は、トップシートの吸収体非存在部にエンボス部が設けられることにより、吸収性物品の前後方向の端部の吸収体非存在部での剛性が高まり、吸収性物品が吸収体非存在部で折れ曲がりにくくなる。この際、エンボス部は、前後方向に対して傾斜して一方向と他方向に延びる複数の直線部から構成された四角格子状に設けられているため、吸収体非存在部に幅方向に延びる折り目が形成されるように吸収性物品が折れ曲がりにくくなる。また、エンボス部を構成する直線部の線幅が、吸収性物品の吸収体非存在部の厚み方向の長さよりも大きく形成されているため、吸収性物品の吸収体非存在部での平面方向の剛性が高まる。
【図面の簡単な説明】
【００１３】
【図１】本発明の吸収性物品の一例を表し、吸収性物品を肌面側から見た平面図を表す。
【図２】図１に示した吸収性物品のＩＩ−ＩＩ断面図を表す。
【図３】図２に示した吸収性物品に備えられる吸収体の一例を表し、吸収体の幅方向断面図を表す。
【図４】図３に示した吸収体を肌面側から見た一部切欠き平面図を表す。
【発明を実施するための形態】
【００１４】
本発明の吸収性物品について、図面を参照して説明する。なお本発明は、図面に示された実施態様に限定されるものではない。
【００１５】
図１および図２には、本発明の吸収性物品の一例として、軽失禁パッドの構成例を示した。図１は、吸収性物品（軽失禁パッド）をトップシート側から見た平面図を表し、図２は、図１に示した吸収性物品のＩＩ−ＩＩ断面図を表す。本願の図では、矢印ｘが幅方向、矢印ｙが前後方向を表し、矢印ｘ，ｙにより形成される面に対して垂直方向が厚み方向ｚを表す。図１では、図面の上側が吸収性物品の前側に相当し、図面の下側が吸収性物品の後側に相当する。
【００１６】
吸収性物品１は、トップシート２とバックシート３とこれらの間に設けられた吸収体１１とを有する。トップシート２は吸収体１１の肌面側に配され、バックシート３は吸収体１１の非肌面側に配されている。トップシート２を透過した排泄物は、吸収体１１により収容される。バックシート３は排泄物が外へ漏れるのを防いでいる。
【００１７】
吸収性物品１は、前後方向ｙと幅方向ｘを有する。前後方向ｙとは、吸収性物品を着用した際に着用者の股間の前後方向に延びる方向に相当する。幅方向ｘとは、吸収性物品と同一面上にあり前後方向ｙと直交する方向を意味し、吸収性物品を着用した際の着用者の左右方向に相当する。また、吸収性物品を着用者が着用した際に、着用者の肌に向かう側を肌面側とし、その反対側を非肌面側とする。
【００１８】
トップシート２は吸収体１１の肌面側に配され、吸収性物品の着用の際に着用者の肌に面するように設けられる。トップシート２は、液透過性であることが好ましい。トップシート２としては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシート２として、織布、編布、有孔プラスチックフィルム等を用いてもよい。
【００１９】
バックシート３は吸収体１１の非肌面側に配され、液不透過性であることが好ましい。バックシート３としては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、バックシート３として、不織布とプラスチックフィルムとの積層体を用いてもよい。
【００２０】
吸収体１１は、尿等の排泄物を吸収できる吸収性材料を含むものであれば特に限定されない。吸収体１１としては、例えば、吸収性材料を所定形状に成形した成形体を用いたり、あるいは当該成形体を紙シート（例えば、ティッシュペーパーや薄葉紙）や液透過性不織布シート等の被覆シートで覆ったものを用いることができる。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。
【００２１】
吸収性材料は、尿等の吸収速度を高める点から、親水性繊維を含むことが好ましい。また、吸収容量を高める点からは、吸収性材料は吸水性樹脂を含むことが好ましい。従って、吸収体１１は親水性繊維（特にパルプ繊維）と吸水性樹脂を含むことが好ましい。この場合、例えば、親水性繊維の集合体に吸水性樹脂を混合または散布したものを用いることが好ましい。
【００２２】
吸収体１１は、シート状吸収体であってもよい。シート状吸収体としては、不織布間に吸水性樹脂を有しパルプ繊維を有しないように形成されたものが挙げられる。このように形成されたシート状吸収体は、不織布間に吸水性樹脂を有するため、高い吸収容量を実現できる。また、シート状吸収体は不織布間にパルプ繊維を有しないため、嵩張らず薄型に形成することができる。
【００２３】
吸収体１１の形状（平面形状）は特に限定されない。吸収体１１の形状は、用途に応じて適宜決定すればよく、例えば、略長方形、砂時計形、ひょうたん形、羽子板形等が挙げられる。
【００２４】
吸収性物品１には、トップシート２の幅方向ｘの両側に、前後方向ｙに延在するサイドシート５が設けられることが好ましい。サイドシート５は、トップシート２の幅方向ｘの両側に接合される。図１および図２では、幅方向ｘの一方側と他方側のサイドシート５に、各々起立用弾性部材６が３本設けられている。吸収性物品の使用時には、起立用弾性部材６の収縮力によりサイドシート５の内方部が着用者の肌に向かって立ち上がり、これにより立ち上がりフラップが形成され、尿等の排泄物の横漏れが防止される。サイドシート５は、液不透過性のプラスチックフィルムや液不透過性の不織布等により構成することができ、バックシート３に使用可能なシート材料を用いることができる。
【００２５】
図面では吸収体１１とバックシート３との間に台紙４が設けられており、台紙４により吸収性物品１の形状保持性を向上させることができる。台紙４は、クレープ紙や不織布から構成することができる。台紙４は設けなくてもよい。
【００２６】
トップシート２やバックシート３やサイドシート５として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００２７】
トップシート２とバックシート３は吸収体１１よりも前方側および後方側に延在し、吸収体１１の前方側および後方側に吸収体非存在部１０が形成される。吸収体１１とバックシート３との間に台紙４が設けられる場合は、台紙４も吸収体１１よりも前方側および後方側に延在し、この場合も、吸収体１１の前方側および後方側に吸収体非存在部１０が形成される。吸収体非存在部１０では、トップシート２とバックシート３が重なって設けられる、あるいはトップシート２と台紙４とバックシート３が重なって設けられる。
【００２８】
吸収性物品１の前後方向ｙの端部の吸収体非存在部１０は、吸収体１１が存在しないことにより、剛性が低くなる。そのため、吸収性物品１は吸収体非存在部１０で折れ曲がりやすくなる。例えば、吸収性物品をセットする際に吸収性物品を平面状に広げることが難しくなったり、吸収性物品を使用の際に吸収性物品の前後方向ｙの端部が折り返されやすくなる。
【００２９】
上記の懸念から、吸収性物品１では、トップシート２に四角格子状のエンボス部７が形成されている。四角格子状のエンボス部７は、前後方向ｙに対して傾斜して一方向と他方向に延びる複数の直線部８から構成されており、直線部８においてトップシート２が押圧されている。エンボス部７は、トップシート２の吸収体非存在部１０に少なくとも設けられ、エンボス部７を構成する直線部８の線幅が、吸収性物品１の吸収体非存在部１０の厚み方向ｚの長さよりも大きく形成されている。このようにトップシート２の吸収体非存在部１０にエンボス部７が設けられることにより、吸収体非存在部１０の剛性が高まり、吸収性物品１が吸収体非存在部１０で折れ曲がりにくくなる。特に、エンボス部７は、前後方向ｙに対して傾斜して一方向と他方向に延びる複数の直線部８から構成されているため、吸収性物品１は、吸収体非存在部１０に幅方向ｘに延びる折り目が形成されるように折れ曲がりにくくなる。すなわち、吸収性物品１が吸収体非存在部１０において前後方向ｙに折れ曲がりにくくなる。また、エンボス部７を構成する直線部８の線幅が、吸収性物品１の吸収体非存在部１０の厚み方向ｚの長さよりも大きく形成されているため、吸収性物品１の吸収体非存在部１０の平面方向の剛性が高まる。
【００３０】
吸収性物品の厚みはシックネスゲージにより測定することができ、例えば株式会社テクロック社製のシックネスゲージＳＭ−１３０を用いて測定することができる。吸収性物品をアンビルと測定子の間に挟んで厚みを測定し、その際、シックネスゲージＳＭ−１３０では、終圧が２．２Ｎ以下となるように厚みを測定する。
【００３１】
エンボス部７は、トップシート２が非加熱状態で押圧されることによって形成されるものであってもよく、加熱状態で押圧されることによって形成されるものであってもよい。いずれの場合も、エンボス部７はトップシート２が単独で押圧されることによって形成されることが好ましい。なお、エンボス部７での剛性を高める観点から、エンボス部７は加熱状態で押圧されることによって形成されることが好ましく、すなわち、エンボス部７は熱エンボス部であることが好ましい。この場合、トップシート２は熱融着性繊維を含む不織布から構成されていることが好ましい。また、熱エンボス部では不織布の構成繊維の少なくとも一部が溶融していることが好ましい。熱融着性繊維としては、ポリオレフィン（例えば、ポリプロピレン、ポリエチレン）、ポリエステル（例えば、ＰＥＴ）、ポリアミド（例えば、ナイロン）等の熱可塑性樹脂から構成された繊維が挙げられる。
【００３２】
四角格子状のエンボス部７は、前後方向ｙに対して傾斜して一方向に延びる複数の直線部８Ａ（以下、「第１直線部」と称する）と前後方向ｙに対して傾斜して他方向に延びる複数の直線部８Ｂ（以下、「第２直線部」と称する）とが交差することにより形成される。複数の第１直線部８Ａと複数の第２直線部８Ｂが互いに交差することによって、トップシート２には、略ひし形や略正方形の非エンボス部９が複数形成されることが好ましい。「略ひし形」と「略正方形」には、完全なひし形や完全な正方形のみならず、角が丸まったひし形、角が丸まった正方形、角がカットされたひし形、角がカットされた正方形も含まれる。例えばトップシート２を四角格子状のパターンでエンボスした場合、第１直線部８Ａと第２直線部８Ｂの交点では、第１直線部８Ａおよび／または第２直線部８Ｂの線幅がそれ以外の部分よりも太くなる場合がある。そのような場合は、非エンボス部９は、角が丸まったひし形や正方形、あるいは角がカットされたひし形や正方形に形成され得る。略ひし形または略正方形の非エンボス部９は、幅方向ｘと前後方向ｙに複数並んで形成されることが好ましい。
【００３３】
第１直線部８Ａは、前後方向ｙに対して時計回りに５°以上の角度で傾斜していることが好ましく、１０°以上がより好ましく、１５°以上がさらに好ましく、また４４°以下が好ましく、３５°以下がより好ましく、３０°以下がさらに好ましい。第２直線部８Ｂは、前後方向ｙに対して反時計回りに５°以上の角度で傾斜していることが好ましく、１０°以上がより好ましく、１５°以上がさらに好ましく、また４４°以下が好ましく、３５°以下がより好ましく、３０°以下がさらに好ましい。このように第１直線部８Ａと第２直線部８Ｂが設けられることにより、吸収性物品１が吸収体非存在部１０において前後方向ｙにより折れ曲がりにくくなる。
【００３４】
上記のように第１直線部８Ａと第２直線部８Ｂが設けられる場合、非エンボス部９は、前後方向ｙの長さが幅方向ｘの長さよりも長く形成される。詳細には、四角格子状のエンボス部７によって囲まれた各非エンボス部９が、前後方向ｙの長さが幅方向ｘの長さよりも長く形成される。非エンボス部９の前後方向ｙの長さは幅方向ｘの長さの１．２倍以上であることが好ましく、１．５倍以上がより好ましく、また４．０倍以下が好ましく、３．０倍以下がより好ましい。
【００３５】
非エンボス部９の前後方向ｙの長さは、例えば５ｍｍ以上が好ましく、７ｍｍ以上がより好ましく、１０ｍｍ以上がさらに好ましく、また２５ｍｍ以下が好ましく、２２ｍｍ以下がより好ましく、２０ｍｍ以下がさらに好ましい。非エンボス部９の幅方向ｘの長さは、例えば３ｍｍ以上が好ましく、４ｍｍ以上がより好ましく、５ｍｍ以上がさらに好ましく、また１６ｍｍ以下が好ましく、１４ｍｍ以下がより好ましく、１２ｍｍ以下がさらに好ましい。
【００３６】
複数の第１直線部８Ａは略等ピッチで一方向に傾斜して配されることが好ましく、複数の第２直線部８Ｂは略等ピッチで他方向に傾斜して配されることが好ましい。複数の第１直線部８Ａのピッチ長さおよび複数の第２直線部８Ｂのピッチ長さは、３ｍｍ以上が好ましく、４ｍｍ以上がより好ましく、５ｍｍ以上がさらに好ましく、また１５ｍｍ以下が好ましく、１２ｍｍ以下がより好ましく、１０ｍｍ以下がさらに好ましい。複数の第１直線部８Ａ（または第２直線部８Ｂ）のピッチ長さは、隣接する第１直線部８Ａ（または第２直線部８Ｂ）の線幅の中心間の距離を意味する。第１直線部８Ａと第２直線部８Ｂの線幅は０．５ｍｍ以上が好ましく、０．８ｍｍ以上がより好ましく、また２．５ｍｍ以下が好ましく、２．０ｍｍ以下がより好ましい。なお、複数の第１直線部８Ａのピッチ長さは、第１直線部８Ａの線幅よりも大きいことが好ましく、例えば、複数の第１直線部８Ａのピッチ長さは第１直線部８Ａの線幅の２倍以上が好ましく、３倍以上がより好ましく、また２０倍以下が好ましく、１５倍以下がより好ましく、１０倍以下がさらに好ましい。複数の第２直線部８Ｂのピッチ長さは、第２直線部８Ｂの線幅よりも大きいことが好ましく、例えば、複数の第２直線部８Ｂのピッチ長さは第２直線部８Ｂの線幅の２倍以上が好ましく、３倍以上がより好ましく、また２０倍以下が好ましく、１５倍以下がより好ましく、１０倍以下がさらに好ましい。
【００３７】
エンボス部７は、トップシート２の吸収体非存在部１０に少なくとも設けられ、さらにトップシート２の吸収体１１と重なる領域にも設けられてもよい。この場合、トップシート２の吸収体１１と重なる領域において、尿等がエンボス部７で拡散しやすくなるとともに、非エンボス部９で尿等がトップシート２を透過して吸収体１１に速やかに吸収されやすくなる。すなわち、エンボス部７でトップシート２が圧密されることにより、トップシート２において尿等の平面方向への拡散性が高まるのに対し、非エンボス部９ではトップシート２が圧密されず、尿等がトップシート２を透過しやすくなる。エンボス部７は、トップシート２の吸収体１１と重なる領域の全体に設けられていることが好ましく、トップシート２の全領域にわたって設けられることがより好ましい。
【００３８】
エンボス部７を構成する直線部８の線幅は、吸収性物品１の吸収体１１が設けられた部分の厚み方向ｚの長さよりも小さいことが好ましい。このようにエンボス部７が形成されていれば、トップシート２上での尿等の拡散性が過度に高まらず、また吸収体１１での吸収能力が確保されやすくなる。吸収性物品１の吸収体１１が設けられた部分の厚み方向ｚの長さは、当該部分での厚み方向ｚの最大長さを意味する。
【００３９】
トップシート２は不織布から構成され、当該不織布の構成繊維が前後方向ｙに配向していることが好ましい。より好ましくは、トップシート２は短繊維不織布から構成され、当該不織布の構成繊維が前後方向ｙに配向している。これにより、吸収性物品１が吸収体非存在部１０において前後方向ｙにより折れ曲がりにくくなる。また、尿等がトップシート２上を前後方向ｙに優先的に拡散しやすくなるとともに、幅方向ｘへの拡散性も確保される。
【００４０】
構成繊維が一方向に配向した不織布としては、スパンボンド不織布、エアスルー不織布、スパンレース不織布等が挙げられる。不織布の構成繊維の配向方向は、不織布の表面を顕微鏡等で観察することにより確認できる。例えばスパンボンド不織布では、構成繊維の配向方向について次のように説明される。スパンボンド不織布は、例えば、ポリマー原料を溶融し、紡糸口金から押し出して延伸し、これをコンベアベルト等の上に集積して、ウェブ状に形成することにより得られるが、この際、コンベアベルト上に集積されたウェブ（繊維）はコンベアベルトの進行方向に沿って配列されることとなる。従って、この場合、ウェブ（繊維）はコンベアベルトの進行方向（ＭＤ方向）に沿って配向することとなる。エアスルー不織布では、不織布を製造するに当たり、繊維塊形成の際の原料短繊維の集積方法やウェブ形成の際の開繊方法を適宜設定することにより、構成繊維の配向方向を揃えることができる。スパンレース不織布では、不織布を形成する際に、短繊維が分散した水流の流れを制御して繊維を堆積させることで、構成繊維の配向方向を揃えることができる。
【００４１】
トップシート２は、短繊維不織布として、エアスルー不織布またはスパンレース不織布から構成されていることが好ましい。スパンレース不織布やエアスルー不織布は比較的嵩密度を低く形成することができるため、尿等の透過性に優れるものとなる。また上記に説明したように、スパンレース不織布とエアスルー不織布は、当該不織布の構成繊維が前後方向ｙに配向していることが好ましい。
【００４２】
吸収体１１は、不織布間に吸水性樹脂を有しパルプ繊維を有しないように構成されたシート状吸収体であってもよい。これについて図３および図４を参照して説明する。図３および図４はシート状吸収体の一例を表し、図３は、シート状吸収体の幅方向断面図を表し、図４は、図３に示した吸収体の一部切欠き平面図を表す。
【００４３】
吸収体１１は、複数層のシート部材１２を有し、シート部材１２の間に吸水性樹脂１３が配され、パルプ繊維が配されない。すなわち吸収体１１は、肌面側と非肌面側にそれぞれシート部材１２が配され、これらのシート部材１２の間に吸水性樹脂１３が配されるが、これらのシート部材１２の間にはパルプ繊維は配されない。なお、シート部材１２間には、製造上不可避的に混入するパルプ繊維の存在は許容される。吸収体１１はこのように構成されることにより、高い吸収容量を有しつつ薄型に形成することができる。
【００４４】
シート部材１２は液透過性であり、トップシート２に使用可能なシート部材を用いることができる。シート部材１２としては、不織布製シート部材、すなわち不織布シートを用いることが好ましい。シート部材１２は、肌面側のシート部材と非肌面側のシート部材が別々に設けられてもよく、１つのシート部材を折り返し、折り返された一方側を肌面側のシート部材とし、他方側を非肌面側のシート部材としてもよい。
【００４５】
吸収体１１は、シート部材１２どうしが接合された封止部１５と、シート部材１２どうしが接合されない非封止部１６とを有し、非封止部１６に吸水性樹脂１３が配されている。封止部１５は、シート部材１２どうしを接着剤で接合したり、溶着（ヒートシールや超音波溶着等）することにより形成される。非封止部１６は、シート部材１２どうしが接合されない部分として規定され、封止部１５以外の部分が非封止部１６に相当する。なお、吸収体１１は、封止部１５にも吸水性樹脂１３が配されていてもよい。
【００４６】
図３では、シート部材１２に接着剤が塗布されて接着剤層１４が形成され、非封止部１６において、吸水性樹脂１３が接着剤層１４によりシート部材１２に固定されている。接着剤層１４は、肌面側のシート部材１２と非肌面側のシート部材１２の少なくとも一方に設けられればよいが、好ましくは、接着剤層１４は両方のシート部材１２に設けられる。吸水性樹脂１３は、少なくとも一部が接着剤層１４に固定されていればよい。吸水性樹脂１３が接着剤層１４によりシート部材１２に固定されていれば、吸水性樹脂１３の吸収前においては、吸水性樹脂１３がシート部材１２間で移動しにくくなり、吸収体１１における尿等の吸収能力が確保されやすくなる。吸水性樹脂１３の吸収後においても、ゲル化した吸水性樹脂１３がシート部材１２間で移動しにくくなる結果、吸水性樹脂１３が塊になって着用者に違和感を与えにくくなる。
【００４７】
接着剤層１４は、吸水性樹脂１３を固定しつつ、吸水性樹脂１３による吸水や膨潤を阻害しないことが好ましい。そのような接着剤層１４を形成するために、カーテンスプレー法、スパイラルコーティング法、オメガコーティング法、コーター法等により接着剤層１４が形成されることが好ましい。
【００４８】
封止部１５は、吸水性樹脂１３が吸水しても、シート部材１２どうしの接合が維持されることが好ましい。これにより、吸水性樹脂１３の吸水後も、吸収体１１における尿等の吸収能力が確保されやすくなる。このような観点から、封止部１５は、シート部材１２どうしをゴム系接着剤やスチレン系エラストマー等の接着剤で接合したり、溶着することにより形成されることが好ましい。
【００４９】
吸収体１１では、非封止部１６が前後方向ｙに延びるストライプ状に設けられることが好ましい。具体的には、非封止部１６は前後方向ｙに延びるように少なくとも２つ設けられることが好ましい。この場合、封止部１５は、幅方向ｘに対して非封止部１６に挟まれて、前後方向ｙに延びるように少なくとも１つ設けられることとなる。好ましくは、吸収体１１の幅方向ｘの一方側の端部と他方側の端部に、前後方向ｙに延びる封止部１５がそれぞれ設けられる。従って、封止部１５も前後方向ｙに延びるストライプ状に配されることが好ましい。封止部１５は前後方向ｙの全体にわたって形成されることが好ましい。このように吸収体１１が形成されていれば、尿等が封止部１５において前後方向ｙに拡散しやすくなり、トップシート２を透過し吸収体１１に到達した尿等が、吸収体１１上で前後方向ｙに拡散しやすくなり、尿等が吸収体１１に速やかに吸収されやすくなる。非封止部１６は、幅方向ｘに並んで３つ以上設けられることが好ましく、４つ以上設けられることが好ましい。封止部１５は、幅方向ｘに並んで４つ以上設けられることが好ましく、５つ以上設けられることが好ましい。
【００５０】
封止部１５の１つ当たりの幅方向ｘの長さは、１ｍｍ以上が好ましく、２ｍｍ以上がより好ましく、また１０ｍｍ以下が好ましく、８ｍｍ以下がより好ましい。非封止部１６の１つ当たりの幅方向ｘの長さは、５ｍｍ以上が好ましく、８ｍｍ以上がより好ましく、また５０ｍｍ以下が好ましく、３０ｍｍ以下がより好ましく、２０ｍｍ以下がさらに好ましい。封止部１５と非封止部１６の幅方向ｘの長さの比は、封止部１５の幅方向ｘの長さ／非封止部１６の幅方向ｘの長さとして、５／９５以上が好ましく、１０／９０以上がより好ましく、１５／８５以上がさらに好ましく、また５０／５０以下が好ましく、６０／４０以下がより好ましい。
【００５１】
上記のように構成された吸収体１１が設けられた吸収性物品１では、封止部１５の延在方向に沿って吸収性物品１が折れ曲がりやすくなる。そこで、封止部１５において吸収性物品１が折れ曲がりにくくするために、トップシート２の封止部１５と重なる部分にエンボス部７が形成されていることが好ましい。これにより、封止部１５と重なる部分でのトップシート２の剛性が高まり、封止部１５において吸収性物品１が折れ曲がりにくくなる。なお、この場合、エンボス部７を構成する直線部８の線幅は、吸収性物品１の封止部１５と重なる部分の厚み方向ｚの長さよりも小さいことが好ましい。これにより、吸収性物品１は封止部１５と重なる部分においてもある程度の厚みを有することとなり、吸収性物品１の平面方向の剛性が確保されやすくなる。
【００５２】
以上、本発明の吸収性物品について図面を参照して説明したが、本発明の吸収性物品は図面に示したような軽失禁パッドに限定されず、使い捨ておむつや生理用ナプキンであってもよい。
【００５３】
吸収性物品が使い捨ておむつである場合、使い捨ておむつは、例えば、前腹部と後背部とこれらの間に位置し吸収体が備えられた股部とから構成される。前腹部は、使い捨ておむつを着用の際に着用者の腹側に当てる部分に相当し、後背部は、使い捨ておむつを着用の際に着用者の背側に当てる部分に相当する。股部は、前腹部と後背部との間に位置し、着用者の股間に当てる部分に相当する。
【００５４】
使い捨ておむつは、テープタイプの使い捨ておむつであってもよく、パンツタイプの使い捨ておむつであってもよい。テープタイプの使い捨ておむつは、例えば、後背部の幅方向の両端部に止着部材が設けられて構成され、当該止着部材を前腹部に止着することにより、着用時にパンツ形状に形成することができる。パンツタイプの使い捨ておむつは、ウェスト開口部と一対の脚開口部とを有するパンツ形状を有し、着用前からパンツ形状に形成されているものである。
【００５５】
吸収性物品が使い捨ておむつである場合は、使い捨ておむつは、例えば、トップシートとバックシートの間に吸収体が配された積層体が、前腹部と後背部とこれらの間に位置する股部とを有するように形成される。使い捨ておむつはまた、前腹部と後背部とこれらの間に位置する股部とを有する外装部材の股部に、トップシートとバックシートの間に吸収体が配された吸収性本体を設けて構成することもできる。後者の場合、外装部材をパンツ形状に形成することで、パンツタイプの使い捨ておむつとすることができる。いずれの場合も、吸収性物品のトップシートや吸収体を上記に説明したように構成することにより、本発明の吸収性物品とすることができる。なかでも、本発明の吸収性物品は、前後方向の端部での折れ曲がりが起こりやすい、尿パッド（軽失禁パッドを含む）や生理用ナプキンに特に好適に適用することができる。
【符号の説明】
【００５６】
１：吸収性物品
２：トップシート
３：バックシート
４：台紙
５：サイドシート
６：起立用弾性部材
７：エンボス部
８：直線部、８Ａ：第１直線部、８Ｂ：第２直線部
９：非エンボス部
１０：吸収体非存在部
１１：吸収体
１２：シート部材
１３：吸水性樹脂
１４：接着剤層
１５：封止部
１６：非封止部
【図１】
2020116154.tif 000003
【図２】
2020116154.tif 000004
【図３】
2020116154.tif 000005
【図４】
2020116154.tif 000006